(57)【要約】      （修正有）【課題】ペットボトルや缶等の蓋を小さな力で容易に開けることができるキャップオープナーを提供する。【解決手段】キャップオープナーは、合成樹脂製の全体平面略Ｙ字状の板状に形成され、把持部３と、該把持部３の一端部側から延設されたキャップ保持固定部２と、把持部３の他端部側から延設された係合部４とを有している。把持部３は、キャップ保持固定部２側端部から係合部４側端部に向かって幅が収斂されている。キャップ保持固定部２は、互いに鋭角ｓをなす一対の挟持片部２１ａおよび挟持片部２１ｂで構成されている。係合部４は、平面略三角形状に形成されている。【選択図】図１
0003171921.tif 000002
【実用新案登録請求の範囲】
【請求項１】
ペットボトルのキャップを回転させることにより開栓しうるキャップオープナーであって、使用者が把持しうる把持部と、前記把持部の一端部側から延設され、前記キャップを保持固定しうるキャップ保持固定部と、前記把持部の他端部側から延設され、プルトップ式蓋部を開蓋しうる係合部とを有することを特徴とするキャップオープナー。
【請求項２】
前記キャップ保持固定部は、互いに所定の鋭角を以って前記把持部の一端部側から延設された一対のキャップ挟持片部により構成されていることを特徴とする請求項１に記載のキャップオープナー。
【請求項３】
全体平面略Ｙ字状に形成され、前記把持部は前記キャップ保持固定部側端部から前記係合部側端部に向かって幅寸法が収斂されると共に、前記係合部は平面略三角形状に形成されており、一方のキャップ挟持片部の幅方向外側縁部、前記把持部の幅方向一縁部及び前記係合部の一方の斜辺部は一直線上に形成される一方、他方のキャップ挟持片部の幅方向外側縁部及び前記把持部の幅方向他縁部は一直線上に形成されると共に前記係合部の他方の斜辺部は前記把持部の幅方向他縁部に対して所定の鈍角を以って連設されていることを特徴とする請求項２に記載のキャップオープナー。
【請求項４】
前記一対のキャップ挟持片部には前記キャップを挟持した際に、キャップの周縁部に柔軟に圧接しうる係合部材が、幅方向内側縁部の略全域に亘って取り付けられたことを特徴とする請求項２に記載のキャップオープナー。
【請求項５】
全体が所定の剛性を有する合成樹脂で形成されたことを特徴とする請求項１に記載のキャップオープナー。
【考案の詳細な説明】
【技術分野】
【０００１】
本考案は、キャップオープナーに係り、特に、ペットボトル等の容器の飲み口に装着されたキャップを挟持し回転させることで、キャップを容易に取り外すことができるキャップオープナーに関する。
【背景技術】
【０００２】
一般的に、飲料水、調味料、酒類、保存食品等の容器、例えば、ペットボトルや缶等の蓋としてキャップ栓やプルトップの蓋が採用されている。キャップ栓は、手で回転させることにより開栓することができ、プルトップの蓋は、リング状のタブを指で引き起こすことにより開けることができる。
【考案の開示】
【考案が解決しようとする課題】
【０００３】
しかしながら、ペットボトル等の容器のキャップ栓は、注ぎ口の直径が容器の幅より小さく形成されており、キャップ栓を手で掴みにくい。また、キャップ栓の下部側にキャップ栓と部分的に連結されたリングが容器の注ぎ口に樹脂により固定された構造のものもあり、この場合、キャップ栓を開ける際にリングをキャップ栓から分離させることにより開栓するため、開栓には比較的大きな力が必要となる。
【０００４】
従って、特に、力の弱い子供や高齢者にとっては、キャップ栓を回転させるときに力が入りにくく開栓しづらい、という問題がある。また、通常の大人であっても、例えば、冬場等で手がかじかんでいる場合等においては、キャップをしっかりと把持しにくく、力が入りにくいことから、なかなか開けることができない場合がある、という不具合があった。
【０００５】
また、缶等のプルトップの蓋は、指を入れるリング状のタブが缶の上面に張り付いた状態で配置されているため、指をタブの下側に潜り込ませることが難しい場合がある。
このため、指の爪等をタブの下側に入れて、これを引き起こして蓋を開けようとすると、爪が傷ついてしまう等の不都合が生じるおそれがある。
【０００６】
本考案は、ペットボトルや缶等の蓋を小さな力で容易に開けることができるキャップオープナーを提供することを課題とする。
【課題を解決するための手段】
【０００７】
上記課題を解決するために、請求項１の考案にかかるキャップオープナーは、ペットボトルのキャップを回転させることにより開栓しうるキャップオープナーであって、使用者が把持しうる把持部と、前記把持部の一端部側から延設され、前記キャップを保持固定しうるキャップ保持固定部と、前記把持部の他端部側から延設され、プルトップ式蓋部を開蓋しうる係合部とを有することを特徴とする。
【０００８】
従って、把持部の一端部側から延設されたキャップ保持固定部を有することで、ペットボトル等のキャップ栓をキャップ保持固定部で保持固定し回転させてキャップを開けることができる。また、把持部の他端部側から延設された係合部を有することで、缶等のプルトップ式蓋部を係合部により開蓋することができる。
【０００９】
請求項２の考案にかかるキャップオープナーは、前記キャップ保持固定部が、互いに所定の鋭角を以って前記把持部の一端部側から延設された一対のキャップ挟持片部により構成されていることを特徴とする。
【００１０】
従って、一対のキャップ挟持片部が互いに所定の鋭角を以って把持部から延設されていることから、前記一対のキャップ挟持片部の間にキャップを挟んで開蓋することができる。
【００１１】
請求項３の考案にかかるキャップオープナーは、全体平面略Ｙ字状に形成され、前記把持部は前記キャップ保持固定部側端部から前記係合部側端部に向かって幅が収斂されると共に、前記係合部は平面略三角形状に形成されており、一方のキャップ挟持片部の幅方向外側縁部、前記把持部の幅方向一縁部及び前記係合部の一方の斜辺部は一直線上に形成される一方、他方のキャップ挟持片部の幅方向外側縁部及び前記把持部の幅方向他縁部は一直線上に形成されると共に前記係合部の他方の斜辺部は前記把持部の幅方向他縁部に対して所定の鈍角を以って連設されていることを特徴とする。
【００１２】
従って、全体平面略Ｙ字状に形成され、把持部が保持固定部側端部から係合部側端部に向かって収斂されていることから、使用者が把持部を把持しやすい。また、係合部が平面略三角形状に形成されたことで、係合部の把持部と反対側端部に向かって幅が次第に縮小するテーパ状となっているので、缶等のタブの下側に係合部を差し込みやすい。
【００１３】
また、一方のキャップ挟持片部の幅方向外側縁部、把持部の幅方向一縁部及び係合部の一方の斜辺部は一直線上に形成される一方、他方のキャップ挟持片部の幅方向外側縁部及び把持部の幅方向他縁部は一直線上に形成されると共に係合部の他方の斜辺部は把持部の幅方向他縁部に対して所定の鈍角を持って連設されている。
【００１４】
このため、一直線上に形成された、一方のキャップ挟持片部の幅方向外側縁部、把持部の幅方向一縁部及び係合部の一方の斜辺部を下にした状態で、本考案に係るキャップオープナーを保持し、係合部をタブの下側に差し込み、てこの原理を利用して係合部を持ち上げることができる。
【００１５】
請求項４の考案にかかるキャップオープナーは、前記一対のキャップ挟持片部には前記キャップを挟持した際に、キャップの周縁部に柔軟に圧接しうる係合部材が、幅方向内側縁部の略全域に亘って取り付けられたことを特徴とする。
【００１６】
従って、一対のキャップ挟持片部は、キャップの周縁部に柔軟に圧接しうる係合部材を介してキャップを挟持する。
【００１７】
請求項５の考案にかかるキャップオープナーは、全体が所定の剛性を有する合成樹脂で形成されたことを特徴とする。「所定の剛性を有する合成樹脂」とは、例えば、ＡＢＳ樹脂である。
【考案の効果】
【００１８】
請求項１〜３記載の考案にあっては、把持部の一端部側から延設されたキャップ保持固定部を有するため、ペットボトル等のキャップ栓を保持固定し回転させてキャップを開けることができる。
また、把持部の他端部側から延設された係合部を有するため、缶等のプルトップ式蓋部を開蓋することができる。その結果、ペットボトルや缶等の蓋を小さな力で容易かつ確実に開けることができるキャップオープナーを提供することができる。
【００１９】
請求項２の考案にあっては、一対のキャップ挟持片部が互いに所定の鋭角を以って把持部から延設されているため、一対のキャップ挟持片部が挟持しうる範囲の直径寸法のキャップであれば、異なる直径のキャップであっても、一対のキャップ挟持片部の長さ方向の所定の位置で、キャップを挟持し回転させて容易に開けることができる。その結果、比較的力の弱い子供や高齢者でもペットボトル等のキャップ栓を容易に開けることができる。
【００２０】
請求項３の考案にあっては、全体平面略Ｙ字状に形成され、把持部が保持固定部側端部から係合部側端部に向かって幅寸法が収斂されていることから、使用者が把持部を把持しやすい。
また、係合部が平面略三角形状に形成され、係合部の把持部と反対側端部に向かって幅寸法が次第に縮小されるテーパ状にに形成されているので、プルトップ式の缶等のタブの下方に係合部を差し込みやすく、容易にタブを開放することができる。
【００２１】
また、請求項３の考案にあっては、一方のキャップ挟持片部の幅方向外側縁部、把持部の幅方向一縁部及び係合部の一方の斜辺部は一直線に形成される一方、他方のキャップ挟持片部の幅方向外側縁部及び把持部の幅方向他縁部は一直線上に形成されると共に係合部の他方の斜辺部は把持部の幅方向他縁部に対して所定の鈍角を持って連設されているため、プルトップ式蓋部を開蓋する際に、一直線上に形成された、一方のキャップ挟持片部の幅方向外側縁部、把持部の幅方向一縁部及び係合部の一方の斜辺部を下にした状態で、係合部をタブの下に差し込み、てこの原理を利用して係合部を持ち上げることで、容易にタブを引き起こして開けることができる。
従って、従来のようにタブを指で直接引き上げることがないので、爪等を傷つけることがなく、小さい力で容易にタブを開蓋することができる。
【００２２】
請求項４の考案にあっては、キャップの周縁部に柔軟に圧接しうる係合部材が、一対のキャップ挟持片部の幅方向内側縁部の略全域に亘って取り付けられているため、一対のキャップ挟持片部でキャップを確実に挟持することができる。
すなわち、係合部材により、一対のキャップ挟持片部でキャップを挟持し回転させる際にキャップが一対のキャップ挟持片部の幅方向内側縁部から滑る事態が防止されるため、確実に開蓋することができる。
【００２３】
請求項５の考案にあっては、全体が所定の合成を有する合成樹脂で形成されたことから、軽量で使いやすく、キャップ栓を開栓する際にかかる負荷に耐えうる程度の硬度を保持するため、全体として使いやすいキャップオープナーを提供することができる。
【図面の簡単な説明】
【００２４】
【図１】本考案を適用した実施形態のキャップオープナーの幅方向一側から見た斜視図である。
【図２】実施形態のキャップオープナーの幅方向他側から見た斜視図である。
【考案を実施するための最良の形態】
【００２５】
以下、図面を参照して、本考案を適用したキャップオープナーの実施の形態について説明する。
【００２６】
（構成）
図１に示すように、本実施形態のキャップオープナー１０は、全体がＡＢＳ樹脂製で全体平面略Ｙ字状の板状に形成されており、使用者が手で把持するための把持部３と、キャップを保持固定するためのキャップ保持固定部２と、プルトップ式蓋部を開蓋するための係合部４とを有している。
キャップ保持固定部２は把持部３の一端部側から延設され、係合部４は把持部３の他端部側から延設されている。把持部３は、キャップ保持固定部２側端部から係合部４側端部に向かって幅寸法が収斂されるテーパ状に形成されている。
係合部４は、平面略細長三角形状に形成されている。すなわち、係合部４は、把持部３側端部の幅が最も大きく形成され、先端部４ａに向かって幅寸法が次第に小さく形成されている。
【００２７】
キャップ保持固定部２は、間にキャップを挟持するための一対のキャップ挟持片部２１ａおよびキャップ挟持片部２１ｂで構成されている。一対のキャップ挟持片部２１ａおよびキャップ挟持片部２１ｂは、互いに所定の鋭角ｓをなしている。
鋭角ｓの角度は、９０度未満の範囲であればよいが、本例では、５００ｍｌや２Ｌのペットボトル等のキャップに対応できることを考慮して、１８度に設定されている。一対のキャップ挟持片部２１ａおよびキャップ挟持片部２１ｂは、把持部３の一端部側から延設されている。
【００２８】
一対のキャップ挟持片部２１ａおよびキャップ挟持片部２１ｂは、幅方向内側縁部、すなわち、キャップを挟持した際にキャップ側に位置する面部の略全域に亘って、キャップの周縁部に柔軟に圧接しうるテープ状の係合部材２２がそれぞれ取り付けられている。
係合部材２２の材質・形状は問わないが、本実施の形態では、エラストマ製でキャップの周縁部に当接する面が凹凸状に形成されたものが用いられている。係合部材２２の材質をエラストマとすることで、キャップにより密着するように挟持することができ、係合部材２２のキャップの周縁部に当接する面を凹凸状に形成することで、摩擦抵抗を向上させることができる。
【００２９】
図１に示すように、一方のキャップ挟持片部２１ａの幅方向外側縁部２３ａ、把持部３の幅方向一縁部３３ａおよび係合部４の一方の斜辺部４３ａは一直線上に、即ち、同一面上に配置されるように形成されている。
【００３０】
図２に示すように、他方のキャップ挟持片部２１ｂの幅方向外側縁部２３ｂおよび把持部３の幅方向他縁部３３ｂは一直線上に、すなわち、同一平面上に配置されるように形成されている。
また、係合部４の他方の斜辺部４３ｂは把持部３の幅方向他縁部３３ｂに対して所定の鈍角ｔを以って連設されている。鈍角ｔの角度は、９０度〜１８０度の範囲であれば限定されるものではないが、本例では、１７０度に設定されている。
また、係合部４の先端部４ａは略スプーン状に形成され、先端縁部は外方に膨出した円弧状であって、全体として上記幅方向他縁部３３ｂ方向に屈曲している。
【００３１】
（作用）
次に、本実施形態のキャップオープナー１０の作用等について、説明する。
【００３２】
本実施形態のキャップオープナー１０を使用して、例えば、ペットボトルのキャップを開蓋する場合には、把持部３を片手で把持し、把持部３の一端部側から延設された一対のキャップ挟持片部２１ａ、２１ｂの間にキャップを配置し、係合部材２２をキャップに押圧するようにして、キャップ挟持片部２１ａ、２１ｂによりキャップを挟持固定してキャップに沿ってキャップオープナー１０を把持部３の平面方向に沿って水平方向に回転させることにより、キャップを開けることができる。
また、プルトップ式のカンドリンク等のタブを開放する場合には、上記キャップ挟持片部２１ａが下方、キャップ挟持片部２１ｂが上方となるように把持部３を把持して、係合部４の先端部４ａをタブの下方に挿入すると共に、係合部４の一方の斜辺部４３ａをカンの上面の突縁部に当ててテコの原理を利用してプルトップ式蓋部のタブを開蓋することができる。
この場合、係合部４の他方の斜辺部４３ｂは把持部３の幅方向他縁部３３ｂに対して所定の鈍角ｔを以って連設されていることから、タブに対して角度が付き、上記のテコの原理が有効に作用する。
さらに、上記のように係合部４の先端部４ａは、全体略スプーン状に形成され、端縁部は円弧状に形成されると共に上記幅方向他縁部３３ｂ方向に屈曲して形成されていることから、缶の開口部平面に密着したタブと缶の開口部平面との缶に挿入して係合させやすく、さらに、上記把持部３のテコの原理を利用することにより、容易にタブを引き上げて開口することができる。
【００３３】
本実施形態のキャップオープナー１０にあっては、一対のキャップ挟持片部２１ａおよびキャップ挟持片部２１ｂが互いに鋭角ｓを以って把持部３から延設されている。
このため、一対のキャップ挟持片部２１ａおよびキャップ挟持片部２１ｂが挟持しうる範囲の直径であれば、異なる直径のキャップであっても、一対のキャップ挟持片部２１ａおよびキャップ挟持片部２１ｂの長さ方向の所定の位置で、キャップを挟持し回転させて容易に開けることができる。
【００３４】
更に、本実施形態のキャップオープナー１０は、一方のキャップ挟持片部２１ａの面２３ａ、把持部３の面３３ａおよび係合部４の面４３ａは同一平面上に形成されている。
また、他方のキャップ挟持片部２１ｂの面２３ｂおよび把持部３の面３３ｂが同一平面上に形成されると共に、係合部４の面４３ｂが把持部３の面３３ｂに対して鈍角ｔを以って連設されている。
【００３５】
また更に、本実施形態のキャップオープナー１０は、キャップの周縁部に柔軟に圧接しうる係合部材２２が、一対のキャップ挟持片部２１ａおよびキャップ挟持片部２１ｂの幅方向内側縁部の略全域に亘って取り付けられている。
このため、一対のキャップ挟持片部２１ａおよびキャップ挟持片部２１ｂによりキャップを確実に挟持することができる。
すなわち、係合部材２２により、一対のキャップ挟持片部２１ａおよびキャップ挟持片部２１ｂでキャップを挟持し回転させる際にキャップが一対のキャップ挟持片部２１ａおよびキャップ挟持片部２１ｂの幅方向内側縁部から滑る事態が防止されるため、一対のキャップ挟持片部２１ａおよびキャップ挟持片部２１で確実に回栓することができる。
【００３６】
更にまた、本実施形態のキャップオープナー１０は、ＡＢＳ樹脂で形成されていることから、軽量で使いやすく、キャップ栓を開栓する際にかかる負荷に耐えうる程度の硬度も維持するこができる。
【００３７】
なお、本実施形態では、全体が合成樹脂製で全体略Ｙ字状の板状に形成された例を示したが本考案はこれに限定されない。例えば、全体が金属製で全体略Ｙ字状に形成されていてもよい。
【００３８】
また、本実施形態では、一対のキャップ挟持片部２１ａおよびキャップ挟持片部２１ｂが互いになす鋭角ｓの角度を、５００ｍｌや２Ｌのペットボトルのキャップに対応できることを考慮して、１８度に設定した場合を示したが、本考案はこれに限定されるものではない。様々な大きさや形状のキャップに合わせて鋭角ｓの大きさを設定してもよい。
【００３９】
更に、本実施形態では、他方のキャップ挟持片部２１ｂの面２３ｂおよび把持部３の面３３ｂが同一平面上に形成されると共に、係合部４の面４３ｂが把持部３の面３３ｂに対して鈍角ｔを以って連設されている例を示したが、本考案はこれに限定されるものではない。
例えば、他方のキャップ挟持片部２１ｂの面２３ｂ、把持部３の面３３ｂおよび係合部４の面４３ｂが同一平面上に形成されていてもよい。また、本実施形態では、鈍角ｔの角度を１７０度に設定する例を示したが本発明はこれに限定されるものではなく、使い易い角度に設定してもよい。
【００４０】
また更に、本実施形態では、一対のキャップ挟持片部２１ａおよびキャップ挟持片部２１ｂの幅方向内側縁部に取り付けられた係合部材２２が、エラストマ製でキャップの周縁部に当接する面が凹凸状に形成された例を示したが、キャップの周縁部を柔軟に圧接しキャップの滑りを防止できるものであれば、本考案はこれに限定されない。
係合部材２２の材質をエラストマとすることで、キャップをより密着するように挟持ことができ、係合部材２２のキャップの周縁部に当接する面を凹凸状に形成することで、摩擦抵抗を向上させることができる。
【産業上の利用可能性】
【００４１】
本考案は、ペットボトルや缶等の蓋を小さな力で容易に開けることができるキャップオープナーを提供するため、キャップオープナーの製造、販売に寄与するので、産業上の利用可能性を有する。
【符号の説明】
【００４２】
２    キャップ保持固定部
３    把持部
４    係合部
４ａ  先端部
１０    キャップオープナー
２１ａ  一方のキャップ挟持片部
２１ｂ  他方のキャップ挟持片部
２２    係合部材
２３ａ  一方のキャップ挟持片部の幅方向外側端縁部
２３ｂ  他方のキャップ挟持片部の幅方向外側端縁部
３３ａ  把持部の幅方向一縁部
３３ｂ  把持部の幅方向他縁部
４３ａ  係合部の一方の斜辺部  
４３ｂ  係合部の他方の斜辺部
ｓ  鋭角
ｔ  鈍角
【図１】
0003171921.tif 000003
【図２】
0003171921.tif 000004